(57)【要約】【課題】取付部材に対して固体光源と反対側に配置される部材の温度上昇の抑制が可能な光源ユニット、及びこれを備えた照明器具を提供することにある。【解決手段】光源ユニット２は、ＬＥＤモジュールと、取付部材２２と、保護カバー２３と、を備える。ＬＥＤモジュールは、実装基板、及び実装基板に実装されたＬＥＤを有する。取付部材２２は、ＬＥＤモジュールが下面に取り付けられる。保護カバー２３は、取付部材２２における下面と反対側の上面２２０２と対向する下面、及びこの下面と反対側の上面２３０２を有する。保護カバー２３は、上面２３０２における熱放射の放射率を、取付部材２２の上面２２０２における熱放射の放射率よりも低くするように構成されている。【選択図】図９
2018206682.tif 000002
【特許請求の範囲】
【請求項１】
実装基板、及び前記実装基板に実装された固体光源を有する光源モジュールと、
前記光源モジュールが第１取付面に取り付けられる取付部材と、
前記取付部材における前記第１取付面と反対側の第２取付面と対向する第１保護面、及び前記第１保護面と反対側の第２保護面を有する保護カバーと、を備え、
前記保護カバーは、前記第２保護面における熱放射の放射率を、前記取付部材の前記第２取付面における熱放射の放射率よりも低くするように構成されている
ことを特徴とする光源ユニット。
【請求項２】
前記保護カバーは、前記第２保護面の表面粗さを、前記第２取付面の表面粗さよりも小さくするように構成されている
ことを特徴とする請求項１に記載の光源ユニット。
【請求項３】
前記保護カバーは、前記第２保護面に塗料が塗布されている
ことを特徴とする請求項２に記載の光源ユニット。
【請求項４】
前記取付部材と前記保護カバーとの間に隙間がある
ことを特徴とする請求項１〜３のいずれか１項に記載の光源ユニット。
【請求項５】
前記隙間に、前記固体光源に電力を供給するためのケーブルが配置されている
ことを特徴とする請求項４に記載の光源ユニット。
【請求項６】
前記隙間に、前記ケーブルに接続されるコネクタが配置されている
ことを特徴とする請求項５に記載の光源ユニット。
【請求項７】
前記保護カバーは、前記取付部材の前記第２取付面に沿った平坦部と、前記取付部材の前記第２取付面から離れる向きに突出するように湾曲した湾曲部と、を有する
ことを特徴とする請求項１〜６のいずれか１項に記載の光源ユニット。
【請求項８】
前記保護カバーは、前記湾曲部に開口部が形成されている
ことを特徴とする請求項７に記載の光源ユニット。
【請求項９】
前記固体光源に電力を供給する電源ユニットを更に備え、
前記電源ユニットは、前記湾曲部と前記取付部材との間に配置されている
ことを特徴とする請求項７又は８に記載の光源ユニット。
【請求項１０】
請求項１〜９のいずれか１項に記載の光源ユニットと、
前記光源ユニットを支持する器具本体と、を備える
ことを特徴とする照明器具。
【請求項１１】
前記器具本体は、電源ケーブルが接続される端子台と、前記電源ケーブルが挿通される電源孔と、を有し、造営材に取り付けられ前記保護カバーと対向し、
前記照明器具の平面視において、前記器具本体における前記端子台と前記電源孔との間の少なくとも一部分と、前記保護カバーと、が重なっている
ことを特徴とする請求項１０に記載の照明器具。
【発明の詳細な説明】
【技術分野】
【０００１】
本発明は、光源ユニット、及び照明器具に関し、より詳細には、固体光源を有する光源ユニット、及びこれを備えた照明器具に関する。
【背景技術】
【０００２】
従来例として特許文献１記載の照明器具を例示する。この従来例は、下面が開口した矩形箱状の器具本体と、器具本体の内部に収納される光源ユニットと、を備えている。
【０００３】
器具本体の天板には、電源線が中継接続される電源端子台、信号線が中継接続される信号端子台が取り付けられている。
【０００４】
光源ユニットは、ＬＥＤ（Light Emitting Diode）モジュールと反射体とで構成されている。反射体の取付板の上面には点灯装置のケースが固定ねじを用いてねじ止めされている。点灯装置は、電源線を介して電源端子台と接続され、信号線を介して信号端子台と接続されている。
【０００５】
ＬＥＤモジュールは、基板と、複数のＬＥＤとを備えている。基板は、複数のＬＥＤが一面に実装され、取付板の下面に取り付けられている。
【先行技術文献】
【特許文献】
【０００６】
【特許文献１】特開２０１４−２３２７１３号公報
【発明の概要】
【発明が解決しようとする課題】
【０００７】
ＬＥＤ（固体光源）の発熱により、反射体（取付部材）に対してＬＥＤと反対側に配置される電源線などの部材の温度が上昇するおそれがあった。
【０００８】
本発明の目的は、取付部材に対して固体光源と反対側に配置される部材の温度上昇の抑制が可能な光源ユニット、及びこれを備えた照明器具を提供することにある。
【課題を解決するための手段】
【０００９】
本発明の一態様に係る光源ユニットは、光源モジュールと、取付部材と、保護カバーと、を備える。前記光源モジュールは、実装基板、及び前記実装基板に実装された固体光源を有する。前記取付部材は、前記光源モジュールが第１取付面に取り付けられる。前記保護カバーは、前記取付部材における前記第１取付面と反対側の第２取付面と対向する第１保護面、及び前記第１保護面と反対側の第２保護面を有する。前記保護カバーは、前記第２保護面における熱放射の放射率を、前記取付部材の前記第２取付面における熱放射の放射率よりも低くするように構成されている。
【００１０】
本発明の一態様に係る照明器具は、前記光源ユニットと、前記光源ユニットを支持する器具本体と、を備える。
【発明の効果】
【００１１】
本発明の光源ユニット、及びこれを備えた照明器具は、取付部材に対して固体光源と反対側に配置された部材の温度上昇の抑制が可能になるという効果がある。
【図面の簡単な説明】
【００１２】
【図１】図１は、本発明の一実施形態に係る照明器具の分解斜視図である。
【図２】図２は、同上の照明器具における器具本体の正面図である。
【図３】図３Ａは、図２における同上の照明器具のＡ−Ａ線断面矢視図である。図３Ｂは、図３Ａにおける一点破線で囲まれた部分の拡大図である。
【図４】図４Ａは、図２における同上の照明器具のＢ−Ｂ線断面矢視図である。図４Ｂは、図４Ａにおける一点破線で囲まれた部分の拡大図である。
【図５】図５は、図２における同上の照明器具の一部省略したＣ−Ｃ線断面矢視図である。
【図６】図６は、図２における同上の照明器具の一部省略したＤ−Ｄ線断面矢視図である。
【図７】図７は、同上の照明器具における引掛ばねと第１引掛部を示す斜視図である。
【図８】図８は、同上の照明器具における光源ユニットの一部破断した正面図である。
【図９】図９は、同上の光源ユニットの平面図である。
【図１０】図１０は、同上の光源ユニットの左側面図である。
【図１１】図１１は、同上の光源ユニットの分解斜視図である。
【図１２】図１２は、同上の照明器具の本体部を省略した斜視図である。
【図１３】図１３は、同上の照明器具の斜視図である。
【図１４】図１４は、同上の照明器具の本体部を省略し一部拡大した平面図である。
【図１５】図１５は、同上の照明器具における別の種類の光源ユニットの正面図である。
【図１６】図１６は、同上の別の種類の光源ユニットの平面図である。
【図１７】図１７は、同上の別の種類の光源ユニットの左側面図である。
【図１８】図１８は、同上の照明器具において別の種類の光源ユニットを仮吊りしている状態の斜視図である。
【図１９】図１９は、同上の照明器具において別の種類の光源ユニットを取り付けた状態の本体部を省略した斜視図である。
【発明を実施するための形態】
【００１３】
本発明の一実施形態に係る照明器具１について、図面を参照して詳細に説明する。本実施形態の照明器具１は、造営材（例えば、天井）に直付け可能な照明器具である。なお、以下の実施形態で説明する構成は本発明の一例にすぎない。本発明は、以下の実施形態に限定されず、本発明の効果を奏することができれば、設計等に応じて種々の変更が可能である。すなわち、照明器具１は、天井以外の造営材（例えば、壁など）に直付けされる照明器具、あるいは、造営材（例えば、天井又は壁）に埋め込まれる埋込型の照明器具であってもよい。
【００１４】
本実施形態の照明器具１は、図１に示すように、光源ユニット２と、光源ユニット２を支持する器具本体１０とを備えている。ただし、以下の説明では、特に断りのない限り、図１における上下方向、前後方向及び左右方向を照明器具１の上下方向、前後方向及び左右方向と規定する。
【００１５】
器具本体１０は、造営材（天井）に取り付けられる本体部１１と、本体部１１に着脱可能に結合されて本体部１１を覆う本体カバー１２とを有している。本体部１１は、亜鉛鋼板などの金属材料により、下面が開放された浅い箱状に形成されている。なお、上下方向から見た本体部１１の外形は正方形である。本体部１１の底面の中央に円形の電源孔１１０が設けられている。また、電源孔１１０の近傍に信号孔１１１が設けられている。本体部１１の底面における電源孔１１０の近傍に第１端子台１４が配置され、信号孔１１１の近傍に第２端子台１５が配置されている。第１端子台１４は、電源孔１１０に挿通される電源ケーブル１６と電気的に接続される（図２参照）。また、第２端子台１５は、信号孔１１１に挿通される信号ケーブル１８と電気的に接続される（図２参照）。さらに第１端子台１４から引き出された電源線１４０の先端に電源用プラグコネクタ１７が取り付けられている。なお、第２端子台１５からは信号線１５０が引き出されている。
【００１６】
本体部１１の底面には複数のボルト挿通孔１１２も設けられている（図１参照）。これら複数のボルト挿通孔１１２は、長軸の方向を本体部１１の前後方向に一致させた長円形に形成されている。本体部１１は、これら複数のボルト挿通孔１１２のうちの少なくとも２つのボルト挿通孔１１２に挿通される吊りボルトにナットが締め付けられることによって天井に取り付けられる。
【００１７】
さらに、本体部１１の底面には４つの引掛ばね１３が設けられている。各引掛ばね１３は、コイル部１３０と２本の腕部とを有するねじりコイルばねで構成されている。２本の腕部のうちで長い方の腕部を第１腕部１３１と呼び、短い方の腕部を第２腕部１３２と呼ぶ。第１腕部１３１の先端は鉤形に曲げられている（図１及び図３Ｂ参照）。
【００１８】
各引掛ばね１３は、金具１３３によって本体部１１に取り付けられている（図３Ｂ参照）。金具１３３は、引掛ばね１３のコイル部１３０を、コイル部１３０の軸回りに回転可能かつコイル部１３０の軸方向に移動可能に支持するように構成されている。
【００１９】
４つの引掛ばね１３のうちの２つの引掛ばね１３は、本体部１１の底面において電源孔１１０の前方に左右方向に並べて取り付けられている。また、４つの引掛ばね１３のうちの残り２つの引掛ばね１３は、本体部１１の底面において電源孔１１０の後方に左右方向に並べて取り付けられている（図１参照）。ただし、左右方向に並ぶ２つの引掛ばね１３は、各々の第２腕部１３２同士を隣り合わせるように配置されている。
【００２０】
本体カバー１２は、亜鉛鋼板などの金属材料により、上下方向から見た形状が正方形である開口部１２０を有する枠状に形成されている。なお、本体カバー１２における開口部１２０の外側の部分（第１部分１２１）が開口部１２０を底面（上底）とする正四角錐台の錐体面となる形状に形成されている。さらに、本体カバー１２における第１部分１２１の外側の部分（第２部分１２２）が第１部分１２１の周縁を底面（上底）の四辺とする正四角錐台の錐体面となる形状に形成されている。なお、第１部分１２１及び第２部分１２２の下面は白色の塗料で塗装されることが好ましい。ただし、本体カバー１２の形状は上述したような２つの錐体面を組み合わせた形状に限定されない。例えば、本体カバー１２は平板状であってもかまわない。
【００２１】
本体カバー１２は、図１、図３Ａ及び図５に示すように、開口部１２０の４つの縁のそれぞれから上向き（本体部１１に近付く向き）に突出する突壁（第１〜第４の突壁１２３〜１２６）を有している。すなわち、第１の突壁１２３は開口部１２０の前方の縁から突出し、第３の突壁１２５は開口部１２０の後方の縁から突出し、第２の突壁１２４は開口部１２０の右方の縁から突出し、第４の突壁１２６は開口部１２０の左方の縁から突出している。つまり、第１の突壁１２３と第３の突壁１２５が開口部１２０を挟んで前後方向に対向し、第２の突壁１２４と第４の突壁１２６が開口部１２０を挟んで左右方向に対向している。
【００２２】
第１の突壁１２３は、開口部１２０の前方の縁から上向きに突出した平板状の主片１２３０と、主片１２３０の上端から開口部１２０と平行に突出する固定片１２３１とを有している。同じく第３の突壁１２５は、開口部１２０の後方の縁から上向きに突出した平板状の主片１２５０と、主片１２５０の上端から開口部１２０と平行に突出する固定片１２５１とを有している（図３Ａ参照）。第１の突壁１２３の主片１２３０の長手方向（左右方向）の中央に第２引掛部１２７Ａが設けられている（図５参照）。第３の突壁１２５の主片１２５０の長手方向の中央に第２引掛部１２７Ｂが設けられている（図１参照）。第２引掛部１２７Ｂは、図１に示すように、第３の突壁１２５の主片１２５０を厚み方向（前後方向）に貫通する逆Ｕ字状の貫通孔を有している。第２引掛部１２７Ａは、図５に示すように第１の突壁１２３の主片１２３０を厚み方向（前後方向）に貫通する逆Ｕ字状の貫通孔を有している。さらに、第２引掛部１２７Ａは、貫通孔の下側の縁から上向きに突出する長方形状の仮保持片１２７０と、貫通孔の上側の縁から下向きに突出する三角形状の２つの突起１２７１とを有している。
【００２３】
第１の突壁１２３の固定片１２３１並びに第３の突壁１２５の固定片１２５１のそれぞれに第１引掛部１２８が２つずつ設けられている（図２参照）。各第１引掛部１２８は、概ね矩形板状の引掛片１２８０と、引掛片１２８０の長手方向の一端から上向きに起立する連結片１２８１と、連結片１２８１の上端から引掛片１２８０と平行に突出する取付片１２８２とを有している（図３Ｂ、図４Ｂ及び図７参照）。また、連結片１２８１は一対の案内片１２８３を有している。各案内片１２８３は、連結片１２８１の下端における引掛片１２８０の左右両側より連結片１２８１から離れるように斜め下向きに突出している。
【００２４】
第１引掛部１２８は、引掛片１２８０の長手方向の他端が主片１２３０、１２５０に設けられた溝１２３２、１２５２に差し込まれる（図１及び図４参照）。また、第１引掛部１２８は、取付片１２８２が固定片１２３１、１２５１にねじ止めされて第１及び第３の突壁１２３、１２５に取り付けられる。なお、各第１引掛部１２８は、第１及び第３の突壁１２３、１２５の長手方向において第２引掛部１２７Ａ、１２７Ｂの両側に取り付けられる（図１及び図４Ａ参照）。
【００２５】
第２の突壁１２４は矩形の板状に形成されている。そして、第２の突壁１２４の長手方向（前後方向）の中央に第２引掛部１２７Ｃが設けられている（図３Ａ参照）。第２の突壁１２４に設けられた第２引掛部１２７Ｃは、図３Ａに示すように、第２の突壁１２４を厚み方向（左右方向）に貫通する逆Ｕ字状の貫通孔を有している。
【００２６】
第４の突壁１２６の上下方向の高さ寸法は、第１〜第３の突壁１２３〜１２５の上下方向の高さ寸法よりも小さい（図４Ａ及び図６参照）。また、第４の突壁１２６は、その長手方向の両側の端部１２６０の高さ寸法よりも、両側の端部１２６０を除く部分（第３引掛部１２９）の高さ寸法よりも小さくなるように形成されている。なお、第３引掛部１２９の長手方向の両端に、下向きに凹んだ凹部１２９０がそれぞれ設けられている（図６参照）。
【００２７】
本体カバー１２は、本体部１１が有する４つの引掛ばね１３の第１腕部１３１が各引掛ばね１３に対応する第１引掛部１２８の引掛片１２８０に引っ掛けられることにより、各引掛ばね１３のばね力によって本体部１１と結合される（図２〜図７参照）。
【００２８】
光源ユニット２は、図８〜図１０に示すように、２つのＬＥＤモジュール２０（光源モジュール）と、透光カバー２１と、取付部材２２と、保護カバー２３と、電源ユニット２４と、機能ユニット２５と、２つの取付ばね２６とを備えている。
【００２９】
取付部材２２は、正方形の取付板２２０と、取付板２２０の４つの辺からそれぞれ下向きに突出する４つの側板２２１とを有している（図９及び図１０）。ただし、取付板２２０と４つの側板２２１とは、亜鉛鋼板などの金属板が曲げ加工されて一体に形成されることが好ましい。４つの側板２２１の各々は、細長い台形状に形成されている。
【００３０】
２つのＬＥＤモジュール２０の各々は、長方形状の実装基板２０１の実装面（下面）に複数のＬＥＤ２００（固体光源）を実装して構成されている（図８参照）。各ＬＥＤ２００は、例えば、白色光を放射する照明用白色ＬＥＤである。これら複数のＬＥＤ２００は、実装基板２０１の実装面に格子状に配置され、実装面に形成されている配線導体（銅はく）を介して互いに電気的に接続されている。また、各実装基板２０１の実装面には、配線導体を介して各ＬＥＤ２００と電気的に接続されたレセプタクルコネクタ２０２が実装されている。レセプタクルコネクタ２０２は、実装基板２０１に形成された挿通孔、及び取付板２２０に形成された挿通孔２２０３（図１１参照）を上下方向に貫通するように設けられている。つまり、各レセプタクルコネクタ２０２は、取付板２２０の上面２２０２（第２取付面）から上方に突出するように、実装基板２０１に実装されている。各レセプタクルコネクタ２０２は、取付板２２０の上面２２０２側において、出力ケーブル２４３０に取り付けられたプラグコネクタ２４３１が接続される。出力ケーブル２４３０は、プラグコネクタ２４３２と反対側の端部にレセプタクルコネクタ２４３２が取り付けられている。レセプタクルコネクタ２４３２は、電源ユニット２４の出力コネクタ２４３（図１１参照）に接続されている。２つのＬＥＤモジュール２０は、取付板２２０の下面２２０１（第１取付面）に、左右方向に間隔を空けて並ぶようにして、ねじ止めにより取り付けられる（図８参照）。
【００３１】
電源ユニット２４は、プリント配線板２４１に電子部品が実装されて構成された電源回路と、この電源回路を収容するケース２４０とを有している（図９及び図１０参照）。電源回路は、入力コネクタ２４２（図１１参照）、整流器、力率改善回路、降圧型のＤＣ／ＤＣコンバータ、出力コネクタ２４３、制御用コネクタ２４４（図１１参照）などを備える。入力コネクタ２４２は、プラグコネクタ２４２１を介して入力ケーブル２４２０が接続されている。入力ケーブル２４２０の先端には、電源用プラグコネクタ１７と抜き差し可能に構成されたレセプタクルコネクタ２４２２が取り付けられている。入力コネクタ２４２は、入力ケーブル２４２０、電源ケーブル１６、及び第１端子台１４を介して電源線１４０と電気的に接続される。電源回路は、入力コネクタ２４２から入力する交流電力を直流電力に変換した後、変換後の直流電力を出力コネクタ２４３から出力ケーブル２４３０を介して出力する。直流電力は、出力ケーブル２４３０に結線されたプラグコネクタ２４３１、及びレセプタクルコネクタ２０２を介して各ＬＥＤモジュール２０の各ＬＥＤ２００に供給される。また、電源回路は、機能ユニット２５から制御用ケーブル２４４０を介して制御用コネクタ２４４に入力される制御信号に応じて、出力コネクタ２４３から出力する直流電力を増減し、ＬＥＤモジュール２０の光出力を調整（調光）するように構成されている。なお、図１１では、入力ケーブル２４２０、出力ケーブル２４３０、制御用ケーブル２４４０等の図示を省略している。
【００３２】
プリント配線板２４１は、長尺の矩形平板状の絶縁基板の部品面に配線導体（銅はく）が形成されている。プリント配線板２４１の表面に、入力コネクタ２４２、出力コネクタ２４３、制御用コネクタ２４４、平滑コンデンサ、チョークコイルなどの、いわゆるリード部品が実装される。そして、プリント配線板２４１のはんだ面に電源回路を構成している電子部品のうちの表面実装部品が実装される。ただし、入力コネクタ２４２及び制御用コネクタ２４４は、プリント配線板２４１の長手方向の一端に実装され、出力コネクタ２４３は、プリント配線板２４１の長手方向の他端に実装されている。ケース２４０は、図９及び図１０に示すように、金属製の板材によって長尺の箱状に形成されている。ケース２４０は、入力コネクタ２４２、出力コネクタ２４３、及び制御用コネクタ２４４を露出するようにしてプリント配線板２４１を内部に収容している。電源ユニット２４は、取付板２２０の上面２２０２における前端に、ケース２４０の長手方向を左右方向に一致させるようにして取付板２２０にねじ止めされている。
【００３３】
機能ユニット２５は、プリント配線板と、プリント配線板を収納するハウジング２５０と、入力端子台２５１を有する（図９参照）。入力端子台２５１は、第２端子台１５から引き出された信号線１５０と電気的に接続される。プリント配線板に電子部品が実装されて制御回路が構成されている。また、機能ユニット２５からは、制御用ケーブル２４４０が引き出されている。制御用ケーブル２４４０の先端に取り付けられたプラグコネクタ２４４１は、電源ユニット２４の制御用コネクタ２４４に接続される。制御回路は、例えば、信号線１５０を介して入力端子台２５１に入力される制御信号を、電源ユニット２４に対応した制御信号に変換するように構成される。ただし、機能ユニット２５は、電波を媒体とする制御信号（無線信号）を電気信号に変換するように構成されてもよい。ハウジング２５０は、保護カバー２３に取り付けられる（図９〜図１１参照）。
【００３４】
透光カバー２１は、図１、図８及び図１０に示すように、正方形状の底部２１０と、底部２１０の周縁から上向きに立ち上がる周壁部２１１と、周壁部２１１の上端に設けられた４つの爪部２１２とを有している。底部２１０と周壁部２１１と４つの爪部２１２は、アクリル樹脂やポリカーボネート樹脂などの透光性を有する合成樹脂材料によって一体に形成されることが好ましい。また、少なくとも底部２１０及び周壁部２１１は、その表面にシボ加工が施されることによって光を拡散するように構成されることが好ましい。あるいは、少なくとも底部２１０及び周壁部２１１は、合成樹脂材料に拡散剤が混入されることによって光を拡散するように構成されることが好ましい。各爪部２１２は鈎形に形成されて周壁部２１１の上端における長手方向（前後方向又は左右方向）の中央から上向きに突出している。
【００３５】
透光カバー２１は、取付部材２２の側板２２１の内側に周壁部２１１を収めるようにして取付部材２２に取り付けられる（図１０参照）。ここで、取付部材２２の取付板２２０において、透光カバー２１の４つの爪部２１２と対応する位置、すなわち、取付板２２０の４つの辺における長手方向の中央に貫通孔２２０４が１つずつ設けられている。各爪部２１２は、取付板２２０の下から上に向かって対応する貫通孔２２０４に挿通され、取付板２２０の上面２２０２における貫通孔２２０４の縁に引っ掛かる（図９及び図１０参照）。その結果、透光カバー２１は、側板２２１の内側に周壁部２１１を収めるようにして取付部材２２の取付板２２０に取り付けられる。
【００３６】
取付ばね２６は、コイル部２６０と、２本の腕部と、端末部２６３とを有するねじりコイルばねで構成されている。２本の腕部のうちで長い方の腕部を第１腕部２６１と呼び、短い方の腕部を第２腕部と呼ぶ。第１腕部２６１は、引掛片２６４と、第１腕片２６５と、第２腕片２６６とを有している。第１腕片２６５は、コイル部２６０の端末からコイル部２６０の径方向に突出している。ただし、第１腕片２６５の長手方向における複数箇所（例えば、２箇所）が同じ向き（下向き）に曲げられている（図１０参照）。引掛片２６４は、前後方向から見てＵ字状に形成され、長手方向の一端で第１腕片２６５の先端とつながり、長手方向の他端で第２腕片２６６の先端とつながっている（図９参照）。第２腕片２６６の後端は、端末部２６３とつながっている。ただし、第２腕片２６６の長手方向における複数箇所（例えば、２箇所）が同じ向き（下向き）に曲げられている。端末部２６３は、第２腕片２６６の後端から引掛片２６４とほぼ平行に突出している。
【００３７】
保護カバー２３は、図９に示すように、平坦部２３０と、湾曲部２３１と、３つの第１取付部２３２と、第２取付部２３３と、第１抜け止め部２３４と、第２抜け止め部２３５とを有している。なお、平坦部２３０と、湾曲部２３１と、３つの第１取付部２３２と、第２取付部２３３と、第１抜け止め部２３４と、第２抜け止め部２３５とは、亜鉛鋼板などの金属板によって一体に構成されている。保護カバー２３は、取付部材２２の取付板２２０の上面２２０２を覆うように設けられており、取付板２２０の上面２２０２と上下方向に対向する下面２３０１（第１保護面）と、下面２３０１と反対側の上面２３０２（第２保護面）を有する。
【００３８】
平坦部２３０は、平板状に形成されており、取付部材２２における取付板２２０の上面２２０２に沿っている。平坦部２３０の後端（図９における下端）に湾曲部２３１がつながっている。
【００３９】
湾曲部２３１は、平坦部２３０の後端から上方へ突出するように湾曲している。ただし、湾曲部２３１の前半部分は平坦部２３０から離れるにつれて緩やかに湾曲し、湾曲部２３１の後半部分は湾曲部２３１の頂点から下方に向かって急激に湾曲している（図１０参照）。また、湾曲部２３１は、矩形の開口部２３１０を有している。開口部２３１０は、湾曲部２３１において、電源ユニット２４のケース２４０と対応する位置、すなわち、ケース２４０を露出させるように形成されている。したがって、開口部２３１０を通して電源ユニット２４の発する熱を湾曲部２３１の外（上）に逃がすことができる。また、電源ユニット２４において、ケース２４０から露出するように配置された入力コネクタ２４２、出力コネクタ２４３、及び制御用コネクタ２４４は、保護カバー２３の湾曲部２３１により覆われている。これにより、導電部分である入力コネクタ２４２、出力コネクタ２４３、制御用コネクタ２４４が保護される。
【００４０】
３つの第１取付部２３２は、平坦部２３０の前端（図９における上端）と、平坦部２３０の右端（図９における左端）と、湾曲部２３１の後端とに１つずつ設けられている。３つの第１取付部２３２は、ほぼ同一の構成を有している。各第１取付部２３２は、第１支持部２３２１と、第２支持部２３２２（図１０参照）とを有している。第１支持部２３２１は、幅細の板状に形成されている（図９参照）。第１支持部２３２１は、取付ばね２６のコイル部２６０に挿通されてコイル部２６０の軸回りに回転可能にコイル部２６０を支持することが可能である。第２支持部２３２２は平板状に形成され、平坦部２３０の端縁から下向きに突出している。第２支持部２３２２は、厚み方向に貫通する孔２３２３を有している（図１０参照）。この孔２３２３は、取付ばね２６の端末部２６３が挿通可能な大きさに形成されている。第２支持部２３２２は、孔２３２３に挿通される端末部２６３を支持することが可能である。３つの第１取付部２３２のうち、湾曲部２３１を挟んで前後方向に対向する２つの第１取付部２３２のそれぞれに取付ばね２６が取り付けられている。
【００４１】
第２取付部２３３は、平坦部２３０の一部分が切り起こされて構成されている。第２取付部２３３は、機能ユニット２５のハウジング２５０に引っ掛けられることで機能ユニット２５を支持するように構成されている（図９〜図１１参照）。
【００４２】
第１抜け止め部２３４は、平坦部２３０の左端（図９における右端）に設けられている。第１抜け止め部２３４は、平坦部２３０の一部分が切り起こされて構成されており、下方へ突出している。第１抜け止め部２３４は、透光カバー２１の左辺の爪部２１２に対応しており、この爪部２１２が挿通した貫通孔２２０４の一部と重なっている。つまり、第１抜け止め部２３４は、取付板２２０の左辺に設けられた貫通孔２２０４において、挿通した爪部２１２の残りの部分を塞ぐことにより、貫通孔２２０４内における爪部２１２の移動を規制している。これにより、第１抜け止め部２３４は、貫通孔２２０４から爪部２１２が抜けることを防止している。
【００４３】
残りの３つの爪部２１２は、３つの第２抜け止め部２３５（図１１参照）により貫通孔２２０４から抜けることが防止されている。第２抜け止め部２３５は、平板状に構成されており、平坦部２３０の端部から下向きに突出している。平坦部２３０において、各第１取付部２３２の第１支持部２３２１の基端部分の一部が貫通孔２２０４の一部と重なっている。第２抜け止め部２３５は、平坦部２３０における貫通孔２２０４と重なっている部分の端部からして向きに突出している。第２抜け止め部２３５は、貫通孔２２０４において、挿通した爪部２１２の残りの部分を塞ぐことにより、貫通孔２２０４内における爪部２１２の移動を規制している。これにより、第２抜け止め部２３５は、貫通孔２２０４から爪部２１２が抜けることを防止している。
【００４４】
また、保護カバー２３は、上面２３０２における熱放射の放射率を、取付部材２２の取付板２２０の上面２２０２における熱放射の放射率よりも低くするように構成されている。保護カバー２３は、取付部材２２と同様に亜鉛鋼板などの金属板で構成されており、上面２３０２の表面粗さが取付板２２０の上面２２０２の表面粗さよりも小さくなるように、上面２３０２に表面処理が施されている。具体的には、保護カバー２３の上面２３０２には、例えば白色の樹脂製の塗料が塗布されている。この塗料により、保護カバー２３の下地の凹凸が平滑化され、上面２３０２の表面粗さが、取付板２２０の上面２２０２の上面の表面粗さよりも小さくなる。つまり、保護カバー２３の上面２３０２の光の反射率が、取付板２２０の上面２２０２の光の反射率よりも高くなる。ここで、熱放射の放射率は、反射率の大きさに依存しており、物質が不透明（透過率がゼロ）である場合、「放射率＝１−反射率」という関係式が成り立つ。したがって、保護カバー２３の上面２３０２の反射率が高く（表面粗さが小さく）なるように表面処理が施されることにより、保護カバー２３の上面２３０２における熱放射の放射率が、取付板２２０の上面２２０２における熱放射の放射率よりも低くなる。なお、表面処理において、塗料の塗布は一例であり、めっき加工、研磨などであってもよい。また、保護カバー２３は、取付部材２２よりも熱放射の放射率が低い材料（例えばアルミニウムなど）で構成されていてもよい。
【００４５】
保護カバー２３は、湾曲部２３１を挟んで前後方向に対向する２つの第１取付部２３２のそれぞれに取付ばね２６が取り付けられ、かつ、第２取付部２３３に機能ユニット２５が取り付けられた状態で取付部材２２の取付板２２０に固定される。ここで、取付板２２０の上面２２０２には複数のねじ止め部２２６が設けられている（図１０、及び図１１参照）。各ねじ止め部２２６は、取付板２２０の上面２２０２から上向きに突出した円錐台形状の突起と、突起の上面に設けられた雌ねじとを有している。保護カバー２３は、複数のねじ止め部２２６の上に載せられた状態で保護カバー２３に設けられた複数のねじ挿通孔に各別に挿通された複数の固定ねじ２２７がねじ止め部２２６の雌ねじにねじ込まれることによって取付部材２２に固定される（図９参照）。ただし、取付部材２２の取付板２２０と保護カバー２３の平坦部２３０との間には、各ねじ止め部２２６の高さ寸法に等しい空間が形成される。また、取付部材２２の取付板２２０と保護カバー２３の湾曲部２３１との間には、取付板２２０と平坦部２３０との間の空間よりも上下方向の寸法が大きな空間が形成される。つまり、取付部材２２の取付板２２０と保護カバー２３との間には、ねじ止め部２２６の高さ寸法以上の隙間がある。この隙間には、入力ケーブル２４２０、出力ケーブル２４３０、制御用ケーブル２４４０などの各種ケーブルが配置される。また、この隙間には、各種ケーブルにつながる入力コネクタ２４２、出力コネクタ２４３、制御用コネクタ２４４、プラグコネクタ２４２１，２４３１，２４４１、レセプタクルコネクタ２０２，２４３２などの各種コネクタが配置される。保護カバー２３は、これら各種ケーブル及び各種コネクタを上から覆うことにより、吊りボルトなどから各種ケーブル及び各種コネクタを保護する機能を有している。なお、入力ケーブル２４２０の先端に取り付けられたレセプタクルコネクタ２４２２は、電源用プラグコネクタ１７に接続されるため、取付部材２２と保護カバー２３との間の隙間から引き出されている（図９参照）。
【００４６】
次に、照明器具１を天井に施工する作業について説明する。まず、施工作業を行う作業者は、本体部１１の電源孔１１０、信号孔１１１にそれぞれ電源ケーブル１６、信号ケーブル１８を挿通した後、ボルト挿通孔１１２に挿通した吊りボルトにナットを締め付けることで本体部１１を天井に取り付ける。また、作業者は、電源孔１１０から引き込んだ電源ケーブル１６を第１端子台１４に結線し、信号孔１１１から引き込んだ信号ケーブル１８を第２端子台１５に結線する。
【００４７】
続いて作業者は、本体部１１に本体カバー１２を取り付ける。作業者は、本体部１１の４つの引掛ばね１３のうちの１つの引掛ばね１３の第１腕部１３１を下に引張り、４つの第１引掛部１２８のうちの対応する１つの第１引掛部１２８の引掛片１２８０に第１腕部１３１の先端を引っ掛ける。作業者は、残り３つの引掛ばね１３の第１腕部１３１の先端をそれぞれの引掛ばね１３と対応する第１引掛部１２８の引掛片１２８０に１つずつ順番に引っ掛ける。それから、作業者は、４つの引掛ばね１３の第１腕部１３１の先端を４つの第１引掛部１２８の引掛片１２８０に引っ掛けた状態で本体カバー１２を本体部１１に近付けるように上に持ち上げる。各引掛ばね１３の第１腕部１３１は、各引掛片１２８０に引っ掛かったままで上向きに変位（回転）する。そして、本体部１１の下端縁が本体カバー１２の第１部分１２１の上面に当たると、４つの第１引掛部１２８に引っ掛けられた４つの引掛ばね１３のばね力によって本体部１１と本体カバー１２との結合状態が維持される（図３Ａ参照）。
【００４８】
上述のような手順で器具本体１０が天井に取り付けられる。続いて、器具本体１０に光源ユニット２を取り付ける手順を説明する。
【００４９】
作業者は、第１の突壁１２３に設けられた第２引掛部１２７Ａの貫通孔に前方の取付ばね２６の引掛片２６４を挿入し、第２引掛部１２７Ａの仮保持片１２７０に引掛片２６４を引っ掛けることで光源ユニット２を器具本体１０に仮保持させる。作業者は、光源ユニット２を器具本体１０に仮保持させた状態で第１端子台１４の電源線１４０及び第２端子台１５の信号線１５０と電源ユニット２４の結線作業を行う。結線作業の完了後、作業者は、第３の突壁１２５に設けられた第２引掛部１２７Ｂの貫通孔に後方の取付ばね２６の第１腕部２６１を挿入した後、光源ユニット２を持ち上げて本体カバー１２の開口部１２０内に収める。光源ユニット２が開口部１２０内に収められると、各取付ばね２６の第１腕部２６１が第１及び第３の突壁１２３、１２５の各第２引掛部１２７Ａ、１２７Ｂに引っ掛かる（図１２参照）。その結果、光源ユニット２は、２つの取付ばね２６のばね力によって器具本体１０（本体カバー１２）に支持される。以上のような手順で照明器具１の施工作業が完了する（図１３参照）。
【００５０】
図１４に示すように、器具本体１０に光源ユニット２が取り付けられた状態における照明器具１の平面視において、本体部１１における第１端子台１４と電源孔１１０との間の少なくとも一部分と、保護カバー２３とが重なっている。したがって、電源孔１１０に挿通されて第１端子台１４に接続される電源ケーブル１６と取付板２２０との間に保護カバー２３が位置する。また、照明器具１の平面視において、本体部１１における第２端子台１５と信号孔１１１との間の少なくとも一部分と、保護カバー２３とが重なっている。したがって、信号孔１１１に挿通されて第２端子台１５に接続される信号ケーブル１８と取付板２２０との間に保護カバー２３が位置する。これにより、ＬＥＤ２００の発熱によって温められた取付板２２０の上面２２０２から放射される熱（輻射熱）が、保護カバー２３によって遮られる。保護カバー２３の上面２３０２は、表面処理が施されており、取付板２２０の上面２２０２よりも熱放射の放射率が低い。したがって、ＬＥＤ２００から電源ケーブル１６に伝わる熱量が低減し、電源ケーブル１６、信号ケーブル１８の温度上昇を抑制できる。また、照明器具１の平面視において、保護カバー２３は、電源ケーブル１６が接続される第１端子台１４の一部、及び信号ケーブル１８が接続される第２端子台１５の一部とも重なっている。したがってＬＥＤ２００から第１端子台１４、及び第２端子台１５に伝わる熱量が低減し、第１端子台１４、及び第２端子台１５の温度上昇を抑制できる。
【００５１】
また、保護カバー２３は、取付部材２２の取付板２２０との間に隙間が形成されるように設けられているので、熱伝導によって取付板２２０から伝わる熱量が低減し、保護カバー２３の温度上昇が抑制される。これにより、保護カバー２３の熱放射による電源ケーブル１６、信号ケーブル１８、第１端子台１４、及び第２端子台１５の温度上昇を抑制できる。
【００５２】
また、保護カバー２３は、平坦部２３０と湾曲部２３１とを有しており、取付板２２０と平坦部２３０との隙間に比べて、取付板２２０と湾曲部２３１との隙間の方が上下方向の寸法が大きい。したがって、取付板２２０と平坦部２３０との隙間において、ＬＥＤ２００の発熱によって温められた空気が、対流によって取付板２２０と湾曲部２３１との隙間に誘導される。湾曲部２３１は、平坦部２３０よりも第１端子台１４、第２端子台１５、電源孔１１０、及び信号孔１１１から離れた位置に設けられている。したがって、電源ケーブル１６、信号ケーブル１８、第１端子台１４、及び第２端子台１５の温度上昇をより抑制できる。さらに、湾曲部２３１には、開口部２３１０が設けられているので、開口部２３１０を通して湾曲部２３１内の熱を湾曲部２３１の外（上）に逃がすことができる。つまり、取付板２２０と平坦部２３０との隙間の熱を、湾曲部２３１の開口部２３１０を介して効率よく逃がすことができ、電源ケーブル１６、信号ケーブル１８、第１端子台１４、及び第２端子台１５の温度上昇をより抑制できる。
【００５３】
ところで、本実施形態の照明器具１において、器具本体１０と組み合わされる光源ユニット２は上述した光源ユニット２に限定されない。例えば、以下に説明する光源ユニット２Ｘも器具本体１０と組み合わせることができる。なお、光源ユニット２Ｘの基本構成は光源ユニット２と共通である。したがって、以下の光源ユニット２Ｘの説明において、上述した光源ユニット２と共通の構成要素については同一の符号を付して適宜図示並びに説明を省略する。
【００５４】
光源ユニット２Ｘは、図１５〜図１７に示すように、一部分を取付部材２２の左端縁から取付部材２２の外に突出させた引掛部材２７を有している。引掛部材２７は平板部２７０と幅広部２７１とを有している。ただし、平板部２７０と幅広部２７１とは亜鉛鋼板などの金属板によって一体に形成されている。
【００５５】
平板部２７０は概ね矩形に形成されている。幅広部２７１は、平板部２７０の４つの辺のうちの１つの辺（図１５における左辺）から下向きに突出している。幅広部２７１の長手方向の長さ寸法は、幅広部２７１の長手方向に沿った平板部２７０の長手方向の長さ寸法よりも大きい。つまり、幅広部２７１は、その長手方向の両端に、平板部２７０の長手方向の両端の外に突出する突部２７２を有している。
【００５６】
引掛部材２７は、平板部２７０の短手方向（図１５における左右方向）におけるおおよそ半分の部分が取付部材２２の取付板２２０の上面に取り付けられる。なお、平板部２７０は、取付板２２０と保護カバー２３の平坦部２３０との間に挟まれるようにして取付板２２０に固定される（図１６参照）。さらに、平板部２７０の短手方向における残り半分の部分には電源ユニット２４が取り付けられる。つまり、電源ユニット２４は、平板部２７０の上面に取り付けられることにより、点灯中のＬＥＤモジュール２０から放射される熱の影響を受け難くされている。
【００５７】
また、光源ユニット２Ｘにおいて、保護カバー２３の３つの第１取付部２３２のうちの右端（図１６においては左端）の第１取付部２３２にのみ取付ばね２６が取り付けられている（図１６参照）。
【００５８】
次に、光源ユニット２Ｘを器具本体１０に取り付ける手順を説明する。
【００５９】
作業者は、開口部１２０から第４の突壁１２６と本体部１１の底面との間の隙間に引掛部材２７の幅広部２７１を挿入した後、第４の突壁１２６の両側の端部１２６０に幅広部２７１の両側の突部２７２を引っ掛ける。その結果、図１８に示すように、光源ユニット２Ｘが器具本体１０に仮吊りされる。作業者は、光源ユニット２を器具本体１０に仮吊りさせた状態で第１端子台１４の電源線１４０及び第２端子台１５の信号線１５０と電源ユニット２４の結線作業を行う。結線作業の完了後、作業者は、第２の突壁１２４に設けられた第２引掛部１２７Ｃの貫通孔に取付ばね２６の第１腕部２６１を挿入した後、光源ユニット２を持ち上げて本体カバー１２の開口部１２０内に収める。光源ユニット２が開口部１２０内に収められると、取付ばね２６の第１腕部２６１が第２の突壁１２４の第２引掛部１２７Ｃに引っ掛かる。また、引掛部材２７が開口部１２０から離れる向きに移動し、第４の突壁１２６に設けられた第３引掛部１２９に引掛部材２７が引っ掛けられる（図１９参照）。その結果、光源ユニット２Ｘは、１つの取付ばね２６と引掛部材２７とによって器具本体１０（本体カバー１２）に支持される。以上のような手順で照明器具１の施工作業が完了する。
【００６０】
光源ユニット２Ｘでは、保護カバー２３における湾曲部２３１の外側に電源ユニット２４が配置されている。したがって、湾曲部２３１の内側に電源ユニット２４が配置された光源ユニット２に比べて湾曲部２３１内の空間が広くなり、取付板２２０と平坦部２３０との隙間からの熱を開口部２３１０を介して湾曲部２３１の外（上）に逃がしやすくなる。これにより、電源ケーブル１６、信号ケーブル１８、第１端子台１４、及び第２端子台１５の温度上昇をより抑制できる。
【００６１】
＜まとめ＞
第１態様に係る光源ユニット（２，２Ｘ）は、光源モジュール（ＬＥＤモジュール２０）と、取付部材（２２）と、保護カバー（２３）と、を備える。光源モジュール（２０）は、実装基板（２０１）、及び実装基板（２０１）に実装された固体光源（ＬＥＤ２００）を有する。取付部材（２２）は、光源モジュール（２０）が第１取付面（下面２２０１）に取り付けられる。保護カバー（２３）は、取付部材（２２）における第１取付面（２２０１）と反対側の第２取付面（上面２２０２）対向する第１保護面（下面２３０１）、及び第１保護面（２３０１）と反対側の第２保護面（上面２３０２）を有する。保護カバー（２３）は、第２保護面（２３０２）における熱放射の放射率を、取付部材（２２）の第２取付面（２２０２）における熱放射の放射率よりも低くするように構成されている。
【００６２】
この態様によれば、取付部材（２２）の第２取付面（２２０２）が保護カバー（２３）で覆われており、保護カバー（２３）の第２保護面（２３０２）の熱放射の放射率が、取付部材（２２）の第２取付面（２２０２）の熱放射の放射率よりも低い。したがって、取付部材（２２）の第２取付面（２２０２）からの熱放射が保護カバー（２３）によって遮られるので、第２取付面（２２０２）からの熱放射によって取付部材（２２）の第２取付面（２２０２）側に配置された部材に伝わる熱量が低減する。これにより、取付部材（２２）に対して固体光源（２００）と反対側に配置された部材の温度上昇の抑制が可能となる。
【００６３】
第２態様に係る光源ユニット（２，２Ｘ）では、第１態様において、保護カバー（２３）は、第２保護面（２３０２）の表面粗さを、第２取付面（２２０２）の表面粗さよりも小さくするように構成されている。
【００６４】
この態様によれば、表面粗さを小さくする表面処理などにより、第２保護面（２３０２）の熱放射の放射率を低減させ、取付部材（２２）に対して固体光源（２００）と反対側に配置された部材の温度上昇の抑制が可能となる。
【００６５】
第３態様に係る光源ユニット（２，２Ｘ）では、第２態様において、保護カバー（２３）は、第２保護面（２３０２）に塗料が塗布されている。
【００６６】
この態様によれば、塗料の塗布による表面処理で第２保護面（２３０２）の熱放射の放射率を低減させ、取付部材（２２）に対して固体光源（２００）と反対側に配置された部材の温度上昇の抑制が可能となる。
【００６７】
第４態様に係る光源ユニット（２，２Ｘ）では、第１〜第３態様のいずれかにおいて、取付部材（２２）と保護カバー（２３）との間に隙間がある。
【００６８】
この態様によれば、取付部材（２２）と保護カバー（２３）との隙間の空気層によって取付部材（２２）から保護カバー（２３）に伝わる熱量が低減し、保護カバー（２３）の温度上昇を抑制できる。これにより、保護カバー（２３）の第２保護面（２３０２）から熱放射される熱量が低減し、取付部材（２２）に対して固体光源（２００）と反対側に配置された部材の温度上昇の抑制が可能となる。
【００６９】
第５態様に係る光源ユニット（２，２Ｘ）では、第４態様において、取付部材（２２）と保護カバー（２３）との隙間に、固体光源（２２０）に電力を供給するためのケーブル（入力ケーブル２４２０、出力ケーブル２４３０）が配置されている。
【００７０】
この態様によれば、保護カバー（２３）により、吊りボルトなどからケーブル（２４２０，２４３０）を保護することができる。
【００７１】
第６態様に係る光源ユニット（２，２Ｘ）では、第５態様において、取付部材（２２）と保護カバー（２３）との隙間に、ケーブル（２４２０，２４３０）に接続されるコネクタ（入力コネクタ２４２、出力コネクタ２４３、プラグコネクタ２４２１，２４３１、レセプタクルコネクタ２０２，２４３２）が配置されている。
【００７２】
この態様によれば、保護カバー（２３）により、吊りボルトなどからコネクタ（２４２，２４３，２４２１，２４３１，２０２，２４３２）を保護することができる。
【００７３】
第７態様に係る光源ユニット（２，２Ｘ）では、第１〜第６態様のいずれかにおいて、保護カバー（２３）は、取付部材（２２）の第２取付面（２２０２）に沿った平坦部（２３０）と、取付部材（２２）の第２取付面（２２０２）から離れる向きに突出するように湾曲した湾曲部（２３１）と、を有する。
【００７４】
この態様によれば、取付部材（２２）と保護カバー（２３）との間の空気に対流が発生し、保護カバー（２３）の温度上昇を抑制できる。これにより、保護カバー（２３）の第２保護面（２３０２）から熱放射される熱量が低減し、取付部材（２２）に対して固体光源（２００）と反対側に配置された部材の温度上昇の抑制が可能となる。
【００７５】
第８態様に係る光源ユニット（２，２Ｘ）では、第７態様において、保護カバー（２３）は、湾曲部（２３１）に開口部（２３１０）が形成されている。
【００７６】
この態様によれば、開口部（２３１０）を通して湾曲部（２３１）の内側の熱を湾曲部（２３１）の外へ逃がすことができるので、保護カバー（２３）の温度上昇を抑制できる。これにより、保護カバー（２３）の第２保護面（２３０２）から熱放射される熱量が低減し、取付部材（２２）に対して固体光源（２００）と反対側に配置された部材の温度上昇の抑制が可能となる。
【００７７】
第９態様に係る光源ユニット（２）では、第７又は第８態様において、固体光源（２００）に電力を供給する電源ユニット（２４）を更に備える。電源ユニット（２４）は、湾曲部（２３１）と取付部材（２２）との間に配置されている。
【００７８】
この態様によれば、保護カバー（２３）により、電源ユニット（２４）を保護することができる。
【００７９】
第１０態様に係る照明器具（１）は、第１〜第９態様のいずれかの光源ユニット（２，２Ｘ）と、光源ユニット（２，２Ｘ）を支持する器具本体（１０）と、を備える。
【００８０】
この態様によれば、器具本体（１０）において、取付部材（２２）に対して固体光源（２００）と反対側に配置された部材の温度上昇の抑制が可能となる。
【００８１】
第１１態様に係る照明器具（１）では、第１０態様において、器具本体（１０）は、電源ケーブル（１６）が接続される端子台（第１端子台１４）と、電源ケーブル（１６）が挿通される電源孔（１１０）と、を有する。器具本体（１０）は、造営材に取り付けられ保護カバー（２３）と対向する。照明器具（１）の平面視において、器具本体（１０）における端子台（１４）と電源孔（１１０）との間の少なくとも一部分と、保護カバー（２３）と、が重なっている。
【００８２】
この態様によれば、電源ケーブル（１６）の温度上昇の抑制が可能となる。
【符号の説明】
【００８３】
１  照明器具
１０  器具本体
１１０  電源孔
１４  第１端子台（端子台）
１６  電源ケーブル
２，２Ｘ  光源ユニット
２０  ＬＥＤモジュール（光源モジュール）
２０１  実装基板
２００  ＬＥＤ（固体光源）
２０２  レセプタクルコネクタ（コネクタ）
２２  取付部材
２２０１  下面（第１取付面）
２２０２  上面（第２取付面）
２３  保護カバー
２３０１  下面（第１保護面）
２３０２  上面（第２保護面）
２３０  平坦部
２３１  湾曲部
２３１０  開口部
２４  電源ユニット
２４２  入力コネクタ（コネクタ）
２４２０  入力ケーブル（ケーブル）
２４２１  プラグコネクタ（コネクタ）
２４３  出力コネクタ（コネクタ）
２４３０  出力ケーブル（ケーブル）
２４３１  プラグコネクタ（コネクタ）
２４３２  レセプタクルコネクタ（コネクタ）
【図１】
2018206682.tif 000003
【図２】
2018206682.tif 000004
【図３】
2018206682.tif 000005
【図４】
2018206682.tif 000006
【図５】
2018206682.tif 000007
【図６】
2018206682.tif 000008
【図７】
2018206682.tif 000009
【図８】
2018206682.tif 000010
【図９】
2018206682.tif 000011
【図１０】
2018206682.tif 000012
【図１１】
2018206682.tif 000013
【図１２】
2018206682.tif 000014
【図１３】
2018206682.tif 000015
【図１４】
2018206682.tif 000016
【図１５】
2018206682.tif 000017
【図１６】
2018206682.tif 000018
【図１７】
2018206682.tif 000019
【図１８】
2018206682.tif 000020
【図１９】
2018206682.tif 000021